(57)【要約】【課題】ドアにガラス戸を採用した場合でも、ドアクローザのレールをドア枠材に収容してドア枠材をコンパクトに構成することにより、ドアにおけるガラス面積を大きくすることができ、ドア構造の意匠性を向上させることができる、ドア構造を提供する。【解決手段】ドアクローザ２０の本体部２１は上枠６の内部に収容され、ガイドレール２４は上側枠材７３の上側に開口して形成されたレール収容部７３ａに収容され、上側枠材７３の下面には、レール収容部７３ａよりも前側及び後側にガラス板７５の上端辺が挿入される挿入溝７７が形成され、挿入溝７７は、ガラス板７５の外側面を保持する外辺７７ａと、ガラス板７５の内側面を保持する内辺７７ｂと、が対向して形成され、上側枠材７３は、外辺７７ａの下端部７３ｃと、内辺７７ｂに連続するレール収容部７３ａの下面７３ｂと、が同一の水平面に位置する。【選択図】図２
2020204168.tif 000002
【特許請求の範囲】
【請求項１】
所定間隔で立設される二本の枠体と、前記二本の枠体を連結する連結枠と、一方の前記枠体の側に回動中心が配置されて前記二本の枠体の間で開閉可能とされるドアと、前記ドアの開閉速度を調節するドアクローザと、を備えるドア構造であって、
前記ドアは、戸先側枠材、戸尻側枠材、上側枠材、及び、下側枠材の四本の枠材と、前記ドアの一面側と他面側とのそれぞれにおいて前記四本の枠材に支持される一枚又は二枚のガラス板と、を備え、
前記ドアクローザは、ガイドレールと、前記ガイドレールの内部をスライド可能とされるスライダと、本体部と、軸心回りに回動可能とされて前記本体部から延出された軸部と、前記軸部と前記スライダとを連結するリンク部材と、を備え、
前記本体部は、前記軸部を下方に延出して前記連結枠の内部に収容され、
前記ガイドレールは、前記上側枠材の上側に開口して形成されたレール収容部に収容され、
前記上側枠材の下面には、前記レール収容部よりも前記一面側、及び／又は、前記他面側に、前記ガラス板の上端辺が挿入される挿入溝が形成され、
前記挿入溝は、前記ガラス板の外側面を保持する外辺と、前記ガラス板の内側面を保持する内辺と、が対向して形成され、
前記上側枠材は、前記外辺の下端部と、前記内辺に連続する前記レール収容部の下面と、が同一の水平面に位置する、ドア構造。
【請求項２】
前記ドアは、前記四本の枠材に支持される二枚の前記ガラス板を備え、
前記戸先側枠材、及び／又は、前記戸尻側枠材は、前記一面側と前記他面側とのうち少なくとも一方において、前記二枚のガラス板の間に、前記戸先側枠材、及び／又は、前記戸尻側枠材が視認されないように構成される、請求項１に記載のドア構造。
【請求項３】
前記連結枠は、固定ボルトにより天井に固定された天レールの下方に設けられ、
前記本体部と前記固定ボルトとは、前記連結枠の前記連結枠の長手方向において互いに干渉しない位置に設けられる、請求項１又は請求項２に記載のドア構造。
【発明の詳細な説明】
【技術分野】
【０００１】
本発明はドア構造に関し、詳細には枠体に対してドアを回動可能に取り付けたドア構造に関するものである。
【背景技術】
【０００２】
従来、本体を回動させる開き戸のドア構造において、ドアの開閉速度を調節するために、枠体とドアとの間にドアクローザを設ける場合がある（例えば、特許文献１を参照）。
【先行技術文献】
【特許文献】
【０００３】
【特許文献１】特開２０１７−２１４７７４号公報
【発明の概要】
【発明が解決しようとする課題】
【０００４】
上記特許文献の如く構成されたドア構造においては、ドアクローザの本体部をドアに設け、ドアクローザのレールを枠体に設ける場合が多い。このようなドア構造において、ガラス板をドア枠材で保持する構成のガラス戸をドアとして採用する場合、ドアクローザの本体部を収容するためにドア枠材を大きく構成する必要がある。このため、ドアにおけるガラスによる透過面積が低下し、ドア構造の意匠性悪化の原因となっていた。
【０００５】
本発明は以上の如き状況に鑑みてなされたものであり、本発明が解決しようとする課題は、ドアにガラス戸を採用した場合でも、ドア枠材をコンパクトに構成することにより、ドアにおけるガラスによる透過面積を大きくすることができ、ドア構造の意匠性を向上させることが可能となる、ドア構造を提供することである。
【課題を解決するための手段】
【０００６】
本発明は、上記課題を解決するために、以下に構成するドア構造を提供する。
【０００７】
（１）所定間隔で立設される二本の枠体と、前記二本の枠体を連結する連結枠と、一方の前記枠体の側に回動中心が配置されて前記二本の枠体の間で開閉可能とされるドアと、前記ドアの開閉速度を調節するドアクローザと、を備えるドア構造であって、前記ドアは、戸先側枠材、戸尻側枠材、上側枠材、及び、下側枠材の四本の枠材と、前記ドアの一面側と他面側とのそれぞれにおいて前記四本の枠材に支持される一枚又は二枚のガラス板と、を備え、前記ドアクローザは、ガイドレールと、前記ガイドレールの内部をスライド可能とされるスライダと、本体部と、軸心回りに回動可能とされて前記本体部から延出された軸部と、前記軸部と前記スライダとを連結するリンク部材と、を備え、前記本体部は、前記軸部を下方に延出して前記連結枠の内部に収容され、前記ガイドレールは、前記上側枠材の上側に開口して形成されたレール収容部に収容され、前記上側枠材の下面には、前記レール収容部よりも前記一面側、及び／又は、前記他面側に、前記ガラス板の上端辺が挿入される挿入溝が形成され、前記挿入溝は、前記ガラス板の外側面を保持する外辺と、前記ガラス板の内側面を保持する内辺と、が対向して形成され、前記上側枠材は、前記外辺の下端部と、前記内辺に連続する前記レール収容部の下面と、が同一の水平面に位置する、ドア構造。
【０００８】
（２）前記ドアは、前記四本の枠材に支持される二枚の前記ガラス板を備え、前記戸先側枠材、及び／又は、前記戸尻側枠材は、前記一面側と前記他面側とのうち少なくとも一方において、前記二枚のガラス板の間に、前記戸先側枠材、及び／又は、前記戸尻側枠材が視認されないように構成される、（１）に記載のドア構造。
【０００９】
（３）前記連結枠は、固定ボルトにより天井に固定された天レールの下方に設けられ、
前記本体部と前記固定ボルトとは、前記連結枠の前記連結枠の長手方向において互いに干渉しない位置に設けられる、（１）又は（２）に記載のドア構造。
【発明の効果】
【００１０】
以上における本発明に係るドア構造は、以下に示す効果を奏する。
【００１１】
（１）の構成によれば、ドアにガラス戸を採用した場合でも、ドアクローザのレールをドア枠材に収容してドア枠材をコンパクトに構成することにより、ドアにおけるガラス面積を大きくすることができ、ドア構造の意匠性を向上させることができる。
【００１２】
（２）の構成によれば、ドア構造の意匠性をさらに向上させることができる。
【００１３】
（３）の構成によれば、天井と連結枠との距離が変化した場合でも固定ボルトと本体部とが干渉して取り付けられないといったことを防止し、かつ、連結枠の見付を極力小さくすることが可能となる。
【図面の簡単な説明】
【００１４】
【図１】第一実施形態に係るドア構造を示した正面図。
【図２】図１中のＸ−Ｘ線断面図。
【図３】図２における部分拡大図。
【図４】（ａ）及び（ｂ）はそれぞれ閉塞状態及び開放状態のドア構造を示した平面図。
【図５】比較例に係るドア構造の断面図。
【図６】図１中のＹ−Ｙ線断面図。
【図７】第二実施形態に係るドア構造を示した正面図。
【図８】第二実施形態に係るドア構造の拡大断面図。
【発明を実施するための形態】
【００１５】
［第一実施形態］
以下では図１から図４を用いて、本発明の第一実施形態に係るドア構造について説明する。本実施形態に係るドア構造には、開き戸であるドア７が設けられる。本実施形態に係るドア構造は、ドア７を前方（図１における紙面手前側）に回動させることにより開放可能に構成されている。
【００１６】
図１に示す如く、ドア構造は床面Ｆと天井Ｃとの間に設けられ、地レール１、天レール２、ポスト部材であるコーナーポスト３、戸尻枠４、戸先枠５、連結枠である上枠６、ドア７等を備える。ドア構造を構成する各要素は、ドア７に備えられるガラス板７５を除いて、スチール合金又はアルミ合金で形成されている。以下、各構成要素について順に説明する。
【００１７】
本実施形態に係るドア構造において、戸尻枠４、戸先枠５、上枠６、及び、ドア７は、床面Ｆに固定した地レール１と、固定ボルトＢにより天井Ｃに固定した天レール２と、の間に立設したコーナーポスト３及び第二パネルＰ２との間に設けられる。本実施形態において、ドア７にはコーナーポスト３を介して第一パネルＰ１が連結される。また、第二パネルＰ２の隣にはガラスパネルＧが設けられる。
【００１８】
コーナーポスト３は、ドア７又はパネル部材（第一・第二パネルＰ１・Ｐ２及びガラスパネルＧ）に対して直交する方向に他のパネル部材を連結するためのポスト部材である。本実施形態においてコーナーポスト３の前面はカバーで被覆されている。
【００１９】
図１に示す如く、コーナーポスト３の右側面には戸尻枠４が固定される。また、第二パネルＰ２の左側面には戸先枠５が固定される。即ち、戸尻枠４及び戸先枠５は床面Ｆと天井Ｃとの間に所定間隔で立設されている。戸尻枠４及び戸先枠５は、本発明に係る枠体の一実施形態である。戸尻枠４と戸先枠５とは左右対称形状であり、その構成が共通している。
【００２０】
戸尻枠４及び戸先枠５の上端部には、互いを連結する連結枠である上枠６が固定されている。図２及び図３に示す如く、上枠６の内部には中空の本体収容部６ａが形成される。なお、本実施形態においては上枠６を棒状部材で構成しているが、上枠をパネル等の面状部材と一体化して構成することも可能である。また、連結枠が戸尻枠４及び戸先枠５の中途部を連結する構成とすることも可能である。
【００２１】
戸尻枠４及び／又は戸先枠５は、床面Ｆと天井Ｃとの間の一部に立設する構成とすることもできる。即ち、床面Ｆと天井Ｃとの間に支柱を立設し、この支柱に対して天井Ｃまでは到達しない戸尻枠４及び／又は戸先枠５を固定する構成とすることも可能である。この場合、戸尻枠４及び／又は戸先枠５の上側に欄間パネル等を設けることができる。
【００２２】
図１に示す如く、ドア７はヒンジ８ａ・８ｂを介して、戸尻枠４及び上枠６に回動可能に組付けられている。具体的には、ドア７の戸尻側上端部がヒンジ８ａによって上枠６の左側端部に連結されている。また、ドア７の戸尻側下端部がヒンジ８ｂによって戸尻枠４の下端部に連結されている。このように、ドア７は戸尻枠４の側に回動中心が配置され、戸尻枠４と戸先枠５との間で開閉可能とされる。そして、図１に示す閉塞状態からドア７を前方に回動させることにより、戸尻枠４、戸先枠５、及び、上枠６で囲まれた空間が開放される。
【００２３】
図１に示す如く、ドア７は、戸先側枠材７１、戸尻側枠材７２、上側枠材７３、及び、下側枠材７４の四本のドア枠材を備える。そして、ドア７はこれらのドア枠材に、矩形の面材である二枚のガラス板７５・７５が外周辺を保持されて構成されている。換言すれば、二枚のガラス板７５・７５は、ドア７の一面側である前側（図２及び図３における左側）と他面側である後側（同じく右側）とのそれぞれにおいて、四本のドア枠材に支持される。なお、ドア枠材の前側又は後側に一枚のガラス板７５を設けた構成のシングルガラスドアとしてドア７を構成することも可能である。図２及び図３に示す如く、上側枠材７３には、上側に開口するレール収容部７３ａが形成されている。ドア７の戸先側における上下方向中央部のやや下側には、ドア７を開閉する際に用いるドアノブ７６が設けられている。
【００２４】
戸先側枠材７１及び戸尻側枠材７２は、ガラス板７５の長手方向に沿って設けられる二本の長枠材である。また、上側枠材７３及び下側枠材７４は、ガラス板７５の短手方向に沿って設けられる二本の短枠材である。即ち、ドア７は、二組の互いに対向するドア枠材（戸先側枠材７１と戸尻側枠材７２、及び、上側枠材７３と下側枠材７４）を備えている。
【００２５】
図１から図４に示す如く、本実施形態に係るドア構造には、ドア７の開閉速度を調節するドアクローザ２０が備えられる。ドアクローザ２０は、本体部２１の内部に充填された油の抵抗力等により、ドア７を開放状態から安全かつ静かに閉塞するようにドア７の速度を調節する。
【００２６】
図２から図４に示す如く、ドアクローザ２０は、本体部２１、リンク部材２２、スライダ２３、及び、ガイドレール２４等で構成される。本体部２１は、軸心回りに回動可能とされる軸部２１ａ（図４（ａ）及び（ｂ）を参照）を下方に延出して、上枠６の内部に形成された本体収容部６ａに収容される。
【００２７】
本実施形態においては図４に示す如く、本体部２１と、天レール２を天井Ｃに固定する固定ボルトＢとは、上枠６の長手方向（図４中における左右方向）において互いに干渉しない位置に設けられる。これにより、床面Ｆの不陸に対してドア枠のレベル調整がなされて天井Ｃと上枠６との距離が変化した場合でも、固定ボルトＢとドアクローザ２０の本体部２１とが干渉して取り付けられないといったことを防止できる。また、上枠６の見付を極力小さくすることが可能となる。
【００２８】
一方、ガイドレール２４は、ドア７における上側枠材７３に形成されたレール収容部７３ａに収容される。また、ガイドレール２４には、その内部をスライド可能にスライダ２３が収容される。リンク部材２２は、本体部２１から延出された軸部２１ａとスライダ２３とを連結する。
【００２９】
上記の如く構成されたドアクローザ２０において、ドア７が閉塞する際には、ガイドレール２４を戸先側に向かってスライドするスライダ２３によってリンク部材２２が回動される。そして、リンク部材２２により軸部２１ａが図４（ａ）及び（ｂ）における反時計回りに回動される。この際、ドアクローザ２０において本体部２１に充填された油の抵抗が生じ、ドア７の速度を低下させることにより、ドア７が開放状態から安全かつ静かに閉塞されるのである。
【００３０】
本実施形態に係るドア構造において、上側枠材７３の下面には図３に示す如く、レール収容部７３ａよりも前側及び後側のそれぞれに、ガラス板７５・７５の上端辺が挿入される挿入溝７７・７７が形成されている。それぞれの挿入溝７７は、ガラス板７５の外側面を保持する外辺７７ａと、ガラス板７５の内側面を保持する内辺７７ｂと、が対向して形成されている。そして、図３に示す如く、内辺７７ｂにはレール収容部７３ａの下面７３ｂが連続して形成されている。なお、ドア７をシングルガラスドアとして構成する場合は、上側枠材７３の下面における前側又は後側に挿入溝７７が形成される。
【００３１】
図３に示す如く、上側枠材７３は挿入溝７７の外辺７７ａの下端部７３ｃと、挿入溝７７の内辺７７ｂに連続する下面７３ｂとが、同一の水平面に位置するように形成されている。このように、ドアクローザ２０のガイドレール２４を上側枠材７３に収容することにより、本実施形態の如くガラス板７５・７５を設けたガラス戸としてドア７を構成した場合でも、上側枠材７３をコンパクトに構成することができる。
【００３２】
具体的に、図５に示す比較例に係るドア構造を用いて、本実施形態に係るドア構造との相違点について説明する。図５に示す如く、本比較例に係るドア構造においてドア２０７は、図示しない戸先側枠材、戸尻側枠材、及び、上側枠材２７３、下側枠材２７４の四本のドア枠材を備える。そして、ドア２０７はこれらのドア枠材に、矩形の面材である二枚のガラス板２７５・２７５が外周辺を保持されて構成されている。上側枠材２７３には、上側に開口する本体収容部２７３ａが形成されている。
【００３３】
図５に示す如く、本比較例に係るドア構造には、ドア２０７の開閉速度を調節するドアクローザ２２０が備えられる。ドアクローザ２２０は、本体部２２１の内部に充填された油の抵抗力等により、ドア２０７を開放状態から安全かつ静かに閉塞するようにドア２０７の速度を調節する。
【００３４】
図５に示す如く、ドアクローザ２２０は、本体部２２１、リンク部材２２２、スライダ２２３、及び、ガイドレール２２４等で構成される。本体部２２１は、軸心回りに回動可能とされる軸部を上方に延出して、上側枠材２７３に形成された本体収容部２７３ａに収容される。一方、ガイドレール２２４は、ドア２０７における上枠２０６の内部に形成されたレール収容部２０６ａに収容される。また、ガイドレール２２４には、その内部をスライド可能にスライダ２２３が収容される。リンク部材２２２は、本体部２２１から延出された軸部とスライダ２２３とを連結する。
【００３５】
本比較例に係るドア構造において、上側枠材２７３にはガイドレール２２４よりも大きな形状の本体部２２１が収容される。このため、上側枠材２７３において、挿入溝２７７における外辺の下端部２７３ｃよりも、挿入溝２７７の内辺に連続する下面２７３ｂが大きく下方に膨出する形状となる。このように、本比較例の如くガラス板２７５・２７５を設けたガラス戸としてドア２０７を構成した場合、ドアクローザ２２０の本体部２２１を上側枠材２７３に収容することにより、上側枠材２７３の下面２７３ｂがガラス板２７５・２７５の間で大きなスペースを占めることになる。
【００３６】
上記の如く、図５に示す比較例に係るドア構造においては、ガラス板２７５・２７５の間において上側枠材２７３が下方に大きくせり出す形状となる。これにより、ドア２０７におけるガラス板２７５・２７５による透過面積が小さくなるため、ドア構造の意匠性が低下することとなる。
【００３７】
一方、本実施形態に係るドア構造によれば、ドア７の上側枠材７３に、本体部２１よりもコンパクトなガイドレール２４を収容しているため、下端部７３ｃが下方に膨出することがない。このため、上側枠材７３において下端部７３ｃと下面７３ｂとを同一の水平面に位置するように形成できる。これにより、ドア７におけるガラス板７５・７５による透過面積を大きくすることができ、ドア構造の意匠性を向上させることができる。
【００３８】
本実施形態に係るドア構造においては図６に示す如く、戸先側枠材７１の内側面（ガラス板７５側の面）には、前側及び後側のそれぞれに、ガラス板７５・７５の端辺が挿入される挿入溝７１ｄ・７１ｄが形成されている。前側の挿入溝７１ｄに保持されるガラス板７５の前面は前側支持部７１ａにより支持される。後側の挿入溝７１ｄに保持されるガラス板７５の後面は後側支持部７１ｂにより支持される。二枚のガラス板７５・７５の間には戸先側枠材７１の内端面７１ｃが形成される。
【００３９】
図６に示す如く、戸先側枠材７１は後側支持部７１ｂと内端面７１ｃとが、左右方向で同一位置となる（後側支持部７１ｂの先端部が内端面７１ｃと面一になる）ように形成されている。このように、本実施形態においては背面視で戸先側枠材７１の内部がガラス板７５・７５の間に視認されないようにして、ドア構造の意匠性を高める構成としている。なお、前側支持部７１ａの幅を広げることにより、正面視で戸先側枠材７１の内部がガラス板７５・７５の間に視認されないように構成することも可能である。また、本実施形態においては戸尻側枠材７２についても戸先側枠材７１と同様に構成されている。
【００４０】
［第二実施形態］
次に、図７及び図８を用いて、本発明の第二実施形態に係るドア構造について説明する。本実施形態に係るドア構造には、開き戸であるドア１０７が設けられる。本実施形態に係るドア構造は、ドア１０７を前方（図７における紙面手前側）に回動させることにより開放可能に構成されている。
【００４１】
図７に示す如く、ドア構造は床面Ｆと天井Ｃとの間に設けられ、地レール１、天レール２、コーナーポスト３、戸尻枠１０４、戸先枠１０５、中枠１０６、ドア１０７、欄間パネル１０９等を備える。以下、各構成要素について順に説明する。
【００４２】
本実施形態に係るドア構造において、戸尻枠１０４、戸先枠１０５、中枠１０６、ドア１０７、及び、欄間パネル１０９は、床面Ｆに固定した地レール１と、天井Ｃに固定した天レール２と、の間に立設したコーナーポスト３及び第二パネルＰ２との間に設けられる。本実施形態において、ドア１０７及び欄間パネル１０９にはコーナーポスト３を介して第一パネルＰ１が連結される。また、第二パネルＰ２の隣にはガラスパネルＧが設けられる。
【００４３】
図７に示す如く、コーナーポスト３の左側面には戸尻枠１０４が固定される。また、第二パネルＰ２の右側面には戸先枠１０５が固定される。即ち、戸尻枠１０４及び戸先枠１０５は床面Ｆと天井Ｃとの間に所定間隔で立設されている。戸尻枠１０４及び戸先枠１０５は、本発明に係る枠体の一実施形態であり、その形状等は前記第一実施形態における戸尻枠４及び戸先枠５と同様に構成されている。
【００４４】
戸尻枠１０４及び戸先枠１０５の中途部における上側には、互いを連結する中枠１０６が固定されている。図８に示す如く、中枠１０６の内部には中空の本体収容部１０６ａが形成される。図７に示す如く、戸尻枠１０４及び戸先枠１０５の間において、中枠１０６の上側に欄間パネル１０９が設けられ、中枠１０６の下側にドア１０７が設けられる。なお、戸尻枠１０４と戸先枠１０５とは左右対称形状であり、その構成が共通している。
【００４５】
図７に示す如く、欄間パネル１０９は、戸先側枠材１９１、戸尻側枠材１９２、上側枠材１９３、及び、下側枠材１９４を備える。そして、欄間パネル１０９はこれらの四本の枠材に、矩形の面材であるガラス板１９５が外周辺を保持されて構成されている。
【００４６】
中枠１０６に対して欄間パネル１０９を取付ける際には、中枠１０６下面に開口された挿入口１０６ｂから本体収容部１０６ａに側面視Ｚ字状の固定部材１９６を挿入する。そして、固定部材１９６の固定部１９６ａを中枠１０６の開口部１０６ｃから延出し、下側枠材１９４の被固定部１９４ａと係合させる。そして、固定部材１９６を中枠１０６に対してビス等の固定具で固定することにより、欄間パネル１０９が中枠１０６に対して上下動不能に固定される。なお、本実施形態において、中枠１０６の挿入口１０６ｂはドアクローザ１２０の本体部１２１を本体収容部１０６ａに挿入する際にも用いられる。
【００４７】
図７に示す如く、ドア１０７はヒンジ１０８ａ・１０８ｂを介して、戸尻枠１０４及び中枠１０６に回動可能に組付けられている。具体的には、ドア１０７の戸尻側上端部がヒンジ１０８ａによって中枠１０６の右側端部に連結されている。また、ドア１０７の戸尻側下端部がヒンジ１０８ｂによって戸尻枠１０４の下端部に連結されている。このように、ドア１０７は戸尻枠１０４の側に回動中心が配置され、戸尻枠１０４と戸先枠１０５との間で開閉可能とされる。そして、図７に示す閉塞状態からドア１０７を前方に回動させることにより、戸尻枠１０４、戸先枠１０５、及び、中枠１０６で囲まれた空間が開放される。
【００４８】
図７に示す如く、ドア１０７は、戸先側枠材１７１、戸尻側枠材１７２、上側枠材１７３、及び、下側枠材１７４を備える。そして、ドア１０７はこれらの四本のドア枠材に、矩形の面材である二枚のガラス板１７５・１７５が外周辺を保持されて構成されている。なお、ドア枠材の前側又は後側に一枚のガラス板１７５を設けた構成のシングルガラスドアとしてドア１０７を構成することも可能である。ドア１０７の戸先側における上下方向中央部のやや下側には、ドア１０７を開閉する際に用いるドアノブ１７６が設けられている。
【００４９】
図７及び図８に示す如く、本実施形態に係るドア構造には、ドア１０７の開閉速度を調節するドアクローザ１２０が備えられる。ドアクローザ１２０は、前記第一実施形態に係るドア構造で用いられたドアクローザ２０と同じ構成である。
【００５０】
図８に示す如く、ドアクローザ１２０は、本体部１２１、リンク部材１２２、スライダ１２３、及び、ガイドレール１２４等で構成される。本体部１２１は、軸心回りに回動可能とされる軸部を下方に延出して、中枠１０６の内部に形成された本体収容部１０６ａに収容される。一方、ガイドレール１２４は、ドア１０７における上側枠材１７３に形成されたレール収容部１７３ａに収容される。また、ガイドレール１２４には、その内部をスライド可能にスライダ１２３が収容される。リンク部材１２２は、本体部１２１から延出された軸部１２１ａとスライダ１２３とを連結する。
【００５１】
本実施形態に係るドア構造において、上側枠材１７３の下面には、レール収容部１７３ａよりも前側及び後側のそれぞれに、ガラス板１７５・１７５の上端辺が挿入される挿入溝１７７・１７７が形成されている。挿入溝１７７は、ガラス板１７５の外側面を保持する外辺１７７ａと、ガラス板１７５の内側面を保持する内辺１７７ｂと、が対向して形成されている。そして、図８に示す如く、内辺１７７ｂにはレール収容部１７３ａの下面１７３ｂが連続して形成されている。なお、ドア１０７をシングルガラスドアとして構成する場合は、上側枠材１７３の下面における前側又は後側に挿入溝１７７が形成される。
【００５２】
図８に示す如く、上側枠材１７３は挿入溝１７７の外辺１７７ａの下端部１７３ｃと、挿入溝１７７の内辺１７７ｂに連続する下面１７３ｂとが、同一の水平面に位置するように形成されている。このように、ドアクローザ１２０のガイドレール１２４を上側枠材１７３に収容することにより、本実施形態の如くガラス板１７５・１７５を設けたガラス戸としてドア１０７を構成した場合でも、上側枠材１７３をコンパクトに構成することができる。
【００５３】
即ち、本実施形態に係るドア構造においても、ドア１０７の上側枠材１７３に、本体部１２１よりもコンパクトなガイドレール１２４を収容しているため、下端部１７３ｃが下方に膨出することがない。このため、上側枠材１７３において下端部１７３ｃと下面１７３ｂとを同一の水平面に位置するように形成できる。これにより、ドア１０７におけるガラス板１７５・１７５による透過面積を大きくすることができ、ドア構造の意匠性を向上させることができる。
【符号の説明】
【００５４】
１        地レール                 ２        天レール       
３        コーナーポスト（ポスト部材）
４        戸尻枠                   ５        戸先枠         
６        上枠（連結枠）           ６ａ      本体収容部     
７        ドア                     ８ａ      ヒンジ         
８ｂ      ヒンジ                 ２０        ドアクローザ   
２１        本体部                 ２１ａ      軸部           
２２        リンク部材             ２３        スライダ       
２４        ガイドレール           ７１        戸先側枠材     
７１ａ      前側支持部             ７１ｂ      後側支持部     
７１ｃ      内端面                 ７１ｄ      挿入溝         
７２        戸尻側枠材             ７３        上側枠材       
７３ａ      レール収容部           ７３ｂ      下面           
７３ｃ      下端部                 ７４        下側枠材       
７５        ガラス板               ７６        ドアノブ       
７７        挿入溝                 ７７ａ      外辺           
７７ｂ      内辺                 １０４        戸尻枠（枠体） 
１０５        戸先枠（枠体）       １０６        中枠（連結枠） 
１０６ａ      本体収容部           １０６ｂ      挿入口         
１０６ｃ      開口部               １０７        ドア           
１０８ａ      ヒンジ               １０８ｂ      ヒンジ         
１０９        欄間パネル           １２０        ドアクローザ   
１２１        本体部               １２１ａ      軸部           
１２２        リンク部材           １２３        スライダ       
１２４        ガイドレール         １７１        戸先側枠材     
１７２        戸尻側枠材           １７３        上側枠材       
１７３ａ      レール収容部         １７３ｂ      下面           
１７３ｃ      下端部               １７４        下側枠材       
１７５        ガラス板             １７６        ドアノブ       
１７７        挿入溝               １７７ａ      外辺           
１７７ｂ      内辺                 １９１        戸先側枠材     
１９２        戸尻側枠材           １９３        上側枠材       
１９４        下側枠材             １９４ａ      被固定部       
１９５        ガラス板           １９６        固定部材  
１９６ａ      固定部               ２０６        上枠           
２０６ａ      レール収容部         ２０７        ドア（比較例） 
２２０        ドアクローザ         ２２１        本体部         
２２２        リンク部材           ２２３        スライダ       
２２４        ガイドレール         ２７１        戸先側枠材     
２７２        戸尻側枠材           ２７３        上側枠材       
２７３ａ      本体収容部           ２７３ｂ      下面           
２７３ｃ      外辺下端部           ２７４        下側枠材       
２７５        ガラス板               Ｃ        天井             
Ｆ        床面                     Ｐ１      第一パネル     
Ｐ２      第二パネル               Ｇ        ガラスパネル   
Ｂ        固定ボルト     
【図１】
2020204168.tif 000003
【図２】
2020204168.tif 000004
【図３】
2020204168.tif 000005
【図４】
2020204168.tif 000006
【図５】
2020204168.tif 000007
【図６】
2020204168.tif 000008
【図７】
2020204168.tif 000009
【図８】
2020204168.tif 000010